(57)【要約】      （修正有）【課題】寝具の任意の位置を保持可能な支持具を提供する。【解決手段】ベッド２から寝具３のズレ落ちを防止するための支持具１である。棒部材４と紐部材５とを含んでいる。棒部材４は、ベッド２の周辺に固定可能な固定部６と、固定部６からベッド２の垂直上方空間に自由端部７ａを位置させて終端する弾性変形自在な棒本体７とを含んでいる。紐部材５の一端側は、棒部材４の自由端部７ａに連結されており、紐部材５の他端側には、寝具３を保持するための保持部が設けられている。【選択図】図１
0003208903.tif 000002
【実用新案登録請求の範囲】
【請求項１】
ベッドから寝具のズレ落ちを防止するための支持具であって、
棒部材と紐部材とを含み、
前記棒部材は、前記ベッドの周辺に固定可能な固定部と、前記固定部から前記ベッドの垂直上方空間に自由端部を位置させて終端する弾性変形自在な棒本体とを含み、
前記紐部材の一端側は、前記棒部材の前記自由端部に連結されており、
前記紐部材の他端側には、前記寝具を保持するための保持部が設けられている支持具。
【請求項２】
前記紐部材は、前記ベッドの略中央位置に懸垂される請求項１に記載の支持具。
【請求項３】
前記紐部材の前記保持部は、前記寝具の一部を前記ベッドの上面から持ち上げて保持する請求項１又は２に記載の支持具。
【請求項４】
前記棒部材の前記自由端部は、前記紐部材を連結するためのフックを有する請求項１乃至３のいずれかに記載の支持具。
【請求項５】
前記棒部材の前記固定部は、前記棒本体を固定するための固定用クリップを有する請求項１乃至４のいずれかに記載の支持具。
【請求項６】
前記固定用クリップは、前記ベッドのフレームに取り付け可能である請求項５に記載の支持具。
【請求項７】
前記固定用クリップは、前記棒本体の固定角度が変更可能である請求項５又は６に記載の支持具。
【考案の詳細な説明】
【技術分野】
【０００１】
本考案は、ベッドから寝具のズレ落ちを防止するための支持具に関する。
【背景技術】
【０００２】
従来、就寝中にベッドから寝具がズレ落ちるのを防止するための種々の支持具が提案されている。例えば、下記特許文献１の支持具は、寝具の下半身側とベッドとを連結することで、寝具のズレ落ちを防止している。
【先行技術文献】
【特許文献】
【０００３】
【特許文献１】特開２００５−０８７６６７号公報
【考案の概要】
【考案が解決しようとする課題】
【０００４】
しかしながら、特許文献１の支持具は、寝具の下半身側を連結しているので、寝具の上半身側から寝具がズレ落ちるおそれがあった。
【０００５】
本考案は、以上のような実状に鑑み案出されたもので、棒部材と紐部材とを含むことを基本として、寝具の任意の位置を保持可能な支持具を提供することを主たる目的としている。
【課題を解決するための手段】
【０００６】
本考案は、ベッドから寝具のズレ落ちを防止するための支持具であって、棒部材と紐部材とを含み、前記棒部材は、前記ベッドの周辺に固定可能な固定部と、前記固定部から前記ベッドの垂直上方空間に自由端部を位置させて終端する弾性変形自在な棒本体とを含み、前記紐部材の一端側は、前記棒部材の前記自由端部に連結されており、前記紐部材の他端側には、前記寝具を保持するための保持部が設けられている。
【０００７】
本考案に係る支持具において、前記紐部材は、前記ベッドの略中央位置に懸垂されるのが望ましい。
【０００８】
本考案に係る支持具において、前記紐部材の前記保持部は、前記寝具の一部を前記ベッドの上面から持ち上げて保持するのが望ましい。
【０００９】
本考案に係る支持具において、前記棒部材の前記自由端部は、前記紐部材を連結するためのフックを有するのが望ましい。
【００１０】
本考案に係る支持具において、前記棒部材の前記固定部は、前記棒本体を固定するための固定用クリップを有するのが望ましい。
【００１１】
本考案に係る支持具において、前記固定用クリップは、前記ベッドのフレームに取り付け可能であるのが望ましい。
【００１２】
本考案に係る支持具において、前記固定用クリップは、前記棒本体の固定角度が変更可能であるのが望ましい。
【考案の効果】
【００１３】
本考案の支持具は、棒部材と紐部材とを含み、前記棒部材は、ベッドの周辺に固定可能な固定部と、前記固定部から前記ベッドの垂直上方空間に自由端部を位置させて終端する弾性変形自在な棒本体とを含み、前記紐部材の一端側は、前記棒部材の前記自由端部に連結されており、前記紐部材の他端側には、寝具を保持するための保持部が設けられている。
【００１４】
このような支持具は、棒部材の固定位置及び固定角度等を変更することで、寝具の任意の位置を保持することができる。このため、本考案の支持具は、使用者に適した寝具の位置を保持することができ、ベッドから寝具のズレ落ちを確実に防止することができる。
【００１５】
また、本考案の支持具は、棒本体の弾性変形により、就寝中の使用者の動きに追従することができる。また、この支持具は、紐部材を介して寝具を保持しているため、寝具により就寝中の使用者を拘束するおそれがない。
【００１６】
さらに、このような支持具は、紐部材の長さを調節することで、寝具の保持高さを変更することができる。このため、本考案の支持具は、例えば、寝具の内部に外気を導入したい場合に、紐部材を短くすることで、寝具の保持高さを高くすることができる。
【図面の簡単な説明】
【００１７】
【図１】本実施形態の支持具の使用状態を示す斜視図である。
【図２】棒部材の側面図である。
【図３】固定用クリップの拡大斜視図である。（ａ）は、水平方向に固定するときを示し、（ｂ）は、垂直方向に固定するときを示す。
【図４】他の実施形態の支持具の使用状態を示す斜視図である。
【考案を実施するための形態】
【００１８】
以下、本考案の実施の一形態が図面に基づき説明される。
図１は、本実施形態の支持具１の使用状態を示す斜視図である。図１に示されるように、本実施形態の支持具１は、ベッド２から寝具３のズレ落ちを防止するためのものである。
【００１９】
図１のベッド２として、フレーム２Ａを有する折畳み式ベッドが例示されているが、ベッド２は、折畳み式ベッドに限定されるものではない。ベッド２は、例えば、ヘッドボードを有する据置き式ベッドや昇降機構を有する介護用ベッド等であってもよい。
【００２０】
また、図１の寝具３として、掛け布団が例示されているが、寝具３は、掛け布団に限定されるものではない。寝具３は、例えば、敷き布団や毛布、枕等であってもよい。
【００２１】
本実施形態の支持具１は、棒部材４と紐部材５とを含んでいる。棒部材４は、ベッド２の周辺に固定可能な固定部６と、固定部６からベッド２の垂直上方空間に自由端部７ａを位置させて終端する弾性変形自在な棒本体７とを含んでいる。
【００２２】
図２は、棒部材４の側面図である。図２に示されるように、本実施形態の棒部材４の固定部６は、棒本体７を固定するための固定用クリップ６Ａを有するのが望ましい。
【００２３】
図１に示されるように、固定用クリップ６Ａは、例えば、金属又は樹脂により形成される。固定用クリップ６Ａは、ベッド２のフレーム２Ａ（図１に示す）等に取り付け可能な大きさを有するのが望ましい。
【００２４】
図３は、固定用クリップ６Ａの拡大斜視図である。図３（ａ）は、固定用クリップ６Ａを水平方向に固定するときを示し、図３（ｂ）は、固定用クリップ６Ａを垂直方向に固定するときを示す。図３に示されるように、固定用クリップ６Ａは、棒本体７の固定角度が変更可能であるのが望ましい。
【００２５】
固定用クリップ６Ａは、図３（ａ）に示される水平方向と図３（ｂ）に示される垂直方向との間で、予め定められた有段階の角度、例えば、５段階の角度で固定されるのが望ましい。このような固定用クリップ６Ａは、ベッド２（図１に示す）の垂直上方空間の任意の位置に棒本体７の自由端部７ａを位置させることができる。なお、固定用クリップ６Ａは、無段階で固定角度を変更可能な構成にしてもよい。
【００２６】
このような固定用クリップ６Ａを有する支持具１は、棒部材４の固定位置及び固定角度等を変更することで、寝具３の任意の位置を保持することができる。このため、本実施形態の支持具１は、使用者に適した寝具３の位置を保持することができ、ベッド２から寝具３のズレ落ちを確実に防止することができる。
【００２７】
図２に示されるように、棒本体７は、例えば、ガラス繊維強化樹脂又は炭素繊維強化樹脂により形成される。本実施形態の棒本体７は、ベッド２（図１に示す）の垂直上方空間に位置する自由端部７ａと、固定部６に連結する固定端部７ｂと、自由端部７ａと固定端部７ｂとを連結する湾曲部７ｃとを含んでいる。
【００２８】
自由端部７ａ及び固定端部７ｂは、それぞれ、垂直方向にのびるのが望ましい。湾曲部７ｃは、緩やかに湾曲する緩湾曲部７ｄと、緩湾曲部７ｄと自由端部７ａとを連結する自由端側湾曲部７ｅと、緩湾曲部７ｄと固定端部７ｂとを連結する固定端側湾曲部７ｆとを含んでいる。このような棒本体７は、材料が有する柔軟性と、湾曲部７ｃが有する弾力性とにより、自由端部７ａに外力が作用したときに、当該外力を吸収することができる。
【００２９】
棒部材４の自由端部７ａは、紐部材５を連結するためのフック４Ａを有するのが望ましい。フック４Ａは、棒部材４の自由端部７ａに取付可能であるとともに、紐部材５を連結する鉤状部を備えるのが望ましい。このようなフック４Ａは、紐部材５の連結を容易に行うことができる。
【００３０】
図１に示されるように、本実施形態の紐部材５の一端側は、棒部材４の自由端部７ａに連結されている。また、紐部材５の他端側には、寝具３を保持するための保持部８が設けられているのが望ましい。
【００３１】
保持する寝具３が掛け布団である場合、紐部材５は、ベッド２の略中央位置に懸垂されるのが望ましい。このような棒部材４及び紐部材５を有する支持具１は、棒本体７の弾性変形により、寝具３が就寝中の使用者の動きに追従することができる。また、本実施形態の支持具１は、紐部材５を介して寝具３を保持しているので、寝具３により就寝中の使用者を拘束するおそれがない。
【００３２】
本実施形態の紐部材５の保持部８は、寝具３の一部をベッド２の上面から持ち上げて保持している。このような紐部材５は、寝具３の内部に外気を導入することができる。
【００３３】
本実施形態の支持具１は、上述のように、紐部材５の長さを調節することで、寝具３の保持高さを変更することができる。このため、支持具１は、例えば、寝具３の内部に外気を導入したい場合に、紐部材５を短くすることで、寝具３の保持高さを高くし、使用者と寝具３とを接する状態にしたい場合に、紐部材５を長くすることで、寝具３の保持高さを低くすることができる。
【００３４】
紐部材５の長さの調節は、例えば、紐部材５に、複数の紐部材５とフック４Ａとの連結部を形成し、任意の連結部をフック４Ａに連結することで調節することができる。紐部材５の長さの調節は、例えば、複数の長さの紐部材５から適宜選択されてもよいし、紐部材５の一部が巻取り構造を有することでその長さを変更可能なものにしてもよい。
【００３５】
保持部８は、例えば、周知のクリップ等が適宜採用され得る。保持部８は、寝具３を傷つけることなく保持可能であり、多少の外力が負荷されても、寝具３を保持可能な保持力を有するものが好ましい。
【００３６】
図４は、他の実施形態の支持具１０の使用状態を示す斜視図である。図４に示されるように、この実施形態の支持具１０は、ベッド２から寝具３のズレ落ちを防止するためのものである。なお、ベッド２及び寝具３は、上述の実施形態のベッド２及び寝具と同様であるので、説明が省略される。
【００３７】
この実施形態の支持具１０は、棒部材１１と紐部材５とを含んでいる。この実施形態の棒部材１１は、ベッド２の周辺に固定可能な固定部１２と、固定部１２からベッド２の垂直上方空間に自由端部１３ａを位置させて終端する弾性変形自在な棒本体１３とを含んでいる。
【００３８】
この実施形態の棒部材１１の固定部１２は、棒本体１３を固定するための固定用スタンド１２Ａを有するのが望ましい。固定用スタンド１２Ａは、例えば、金属により形成される。固定用スタンド１２Ａは、棒部材１１の自由端部１３ａに外力が作用したときに、棒本体１３を固定可能な重量を有しているのが望ましい。
【００３９】
このような固定用スタンド１２Ａは、ベッド２の種類及び形状によらず、棒本体１３を任意の位置に固定することができる。また、この実施形態の固定用スタンド１２Ａを有する支持具１０は、ベッド２を有さない寝具３にも用いることができる。
【００４０】
この実施形態の棒本体１３は、ベッド２の垂直上方空間に位置する自由端部１３ａと、固定部１２に連結する固定端部１３ｂと、自由端部１３ａと固定端部１３ｂとを連結する湾曲部１３ｃとを含んでいる。この実施形態の自由端部１３ａ及び湾曲部１３ｃは、上述の実施形態の自由端部７ａ及び湾曲部７ｃと同様であるので、説明が省略される。
【００４１】
この実施形態の固定端部１３ｂは、上述の実施形態の固定端部７ｂよりもその長さが長い。固定端部１３ｂは、その長さを調節可能に構成されてもよい。固定端部１３ｂの長さの調節方法は、周知の手段が適宜採用され得る。
【００４２】
この実施形態の棒部材１１の自由端部１３ａは、紐部材５を連結するためのフック１１Ａを有している。フック１１Ａは、上述の実施形態のフック４Ａと同様であるため、その説明が省略される。
【００４３】
この実施形態の紐部材５は、上述の実施形態の紐部材５と同様に、保持部８が設けられている。このような棒部材１１及び紐部材５を有する支持具１０は、棒本体１３の弾性変形により、寝具３が就寝中の使用者の動きに追従することができる。また、この実施形態の支持具１０は、紐部材５を介して寝具３を保持しているので、寝具３により就寝中の使用者を拘束するおそれがない。
【００４４】
以上、本考案の特に好ましい実施形態について詳述したが、本考案は図示の実施形態に限定されることなく、種々の態様に変形して実施し得る。
【符号の説明】
【００４５】
１    支持具
２    ベッド
３    寝具
４    棒部材
５    紐部材
６    固定部
７    棒本体
７ａ  自由端部
８    保持部
【図１】
0003208903.tif 000003
【図２】
0003208903.tif 000004
【図３】
0003208903.tif 000005
【図４】
0003208903.tif 000006